(57)【要約】【課題】分割印刷を行う際に仕切線による各物理用紙の配置作業を容易に行うことが可能な印刷制御プログラムおよび印刷制御装置を提供する。【解決手段】分割印刷を行う際に、用紙には行(列)に対応つけられる数分の線分からなる仕切線４８Ａ〜４８Ｈを印刷することにより、画像を印刷可能な領域の大きさを低減することなく、各用紙の配置作業を容易に行うことができる。【選択図】図５
2011238100.tif 000002
【特許請求の範囲】
【請求項１】
印刷装置を制御するための印刷制御装置で動作し、複数の被記録媒体を配置するとそれぞれの被記録媒体に印刷された画像が１つの元画像として完成するように、前記複数の被記録媒体に対して元画像を分割した分割画像を前記印刷装置に印刷させる、印刷制御プログラムであって、
１ページ分の元画像データから前記複数の被記録媒体の数だけ分割した複数ページ分の分割画像データを生成するとともに、前記複数の被記録媒体を配置する配置位置に基づいて、前記被記録媒体の画像領域と非画像領域とを仕切るための仕切線を前記複数のページ毎にその配置位置を示す形態となるように、各仕切線データを生成する生成ステップと、
前記生成ステップにより前記複数のページ毎に生成されたデータを前記分割画像として前記印刷装置に印刷させる印刷制御ステップと
を備えたことを特徴とする印刷制御プログラム。
【請求項２】
前記生成ステップは、相互に隣接する前記被記録媒体において、向かい合う二辺の仕切線を同一の形態となるように、各仕切線データを生成することを特徴とする請求項１に記載の印刷制御プログラム。
【請求項３】
前記複数の被記録媒体はマトリックス状に配置され、前記配置位置は各被記録媒体の行方向と列方向との位置を示すものであり、
前記仕切線は、前記行方向に平行な第１仕切線と、前記列方向に並行な第２仕切線とを備えるものであって、
前記生成ステップは、前記第１仕切線が列ごとに異なる形態となるように、各第１仕切線データを生成し、前記第２仕切線が行ごとに異なる形態となるように、各第１仕切線データを生成することを特徴とする請求項１または請求項２に記載の印刷制御プログラム。
【請求項４】
前記生成ステップは、前記第１仕切線を前記配置位置がＮ列目を示す形態となるように、各第１仕切線データを生成し、前記第２仕切線を前記配置位置がＭ行目を示す形態となるように、各第１仕切線データを生成することを特徴とする請求項１から請求項３のいずれかに記載の印刷制御プログラム。
【請求項５】
前記仕切線の形態は、線の数、線の位置、または、線の色の少なくともいずれか一つで示されることを特徴とする請求項１から請求項４のいずれかに記載の印刷制御プログラム。
【請求項６】
複数の被記録媒体を配置するとそれぞれの被記録媒体に印刷された画像が１つの元画像として完成するように、前記複数の被記録媒体に対して元画像を分割した分割画像を印刷装置に印刷させる、印刷制御装置であって、
１ページ分の元画像データから前記複数の被記録媒体の数だけ分割した複数ページ分の分割画像データを生成するとともに、前記複数の被記録媒体を配置する配置位置に基づいて、前記被記録媒体の画像領域と非画像領域とを仕切るための仕切線を前記複数のページ毎にその配置位置を示す形態となるように、各仕切線データを生成する生成手段と、
前記生成手段により前記複数のページ毎に生成されたデータを前記分割画像として前記印刷装置に印刷させる印刷制御手段と
を備えたことを特徴とする印刷制御装置。
【発明の詳細な説明】
【技術分野】
【０００１】
本発明は、印刷制御プログラムおよび印刷制御装置に関し、特に分割印刷の制御を行うものに関する。
【背景技術】
【０００２】
従来、使用する物理用紙サイズよりも大きい画像を複数の物理用紙に分割して印刷する分割印刷、あるいはポスター印刷と呼ばれる技術が知られている。この技術によれば、各物理用紙に印刷された画像の周囲に、印刷領域と余白領域との境界の位置を示す仕切線を印刷することがある。ユーザは、印刷された仕切線を目印にして物理用紙の余白領域を切り取ったり、余白領域を糊代として物理用紙同士を重ねて貼り合わせたりすることで、各物理用紙を繋ぎ合わせて大きなサイズの印刷物を得ることができる。
【０００３】
また、上述の分割印刷を行った場合、ユーザが各物理用紙を元画像に基づいて配置を行う作業を容易にするため、例えば、特許文献１には、印刷されたそれぞれの物理用紙の表面または裏面に当該物理用紙の印刷全体に対する配置情報を付加して印刷することが記載されている。
【先行技術文献】
【特許文献】
【０００４】
【特許文献１】特開２００４−２８４２６５号公報
【発明の概要】
【発明が解決しようとする課題】
【０００５】
しかしながら、特許文献１に記載の技術では、配置情報を物理用紙の表面に印刷する場合、配置情報を印刷するスペースが必要となるため、その分画像を印刷できる領域が減少するといった問題があった。
【０００６】
一方、配置情報を物理用紙の裏面に印刷する場合、両面印刷を行うと、同様に上述の問題が起こりうる。
【０００７】
本発明は上記のような事情に基づいて完成されたものであって、分割印刷を行う際に画像を印刷可能な領域の大きさを低減することなく、仕切線による各物理用紙の配置作業を容易に行うことが可能な印刷制御プログラムおよび印刷制御装置を提供することを目的とする。
【課題を解決するための手段】
【０００８】
この課題の解決を目的としてなされた本発明の請求項１に記載の印刷制御プログラムは、印刷装置を制御するための印刷制御装置で動作し、複数の被記録媒体を配置するとそれぞれの被記録媒体に印刷された画像が１つの元画像として完成するように、前記複数の被記録媒体に対して元画像を分割した分割画像を前記印刷装置に印刷させる、印刷制御プログラムであって、１ページ分の元画像データから前記複数の被記録媒体の数だけ分割した複数ページ分の分割画像データを生成するとともに、前記複数の被記録媒体を配置する配置位置に基づいて、前記被記録媒体の画像領域と非画像領域とを仕切るための仕切線を前記複数のページ毎にその配置位置を示す形態となるように、各仕切線データを生成する生成ステップと、前記生成ステップにより前記複数のページ毎に生成されたデータを前記分割画像として前記印刷装置に印刷させる印刷制御ステップとを備えたことを特徴とする。
【０００９】
この構成によれば、仕切線がページ毎にその配置位置を示す形態で印刷されているため、ユーザは容易に被記録媒体を配置することができる。また、配置情報を印刷するスペースを確保する必要がなく、仕切線を利用して各ページの配置位置を示すことによって被記録媒体を印刷する領域が制限されることがないので、分割画像を印刷可能な領域が低減することを防ぐことができる。
【００１０】
また、本発明の請求項２に記載の印刷制御プログラムは、請求項１に記載の印刷制御プログラムであって、前記生成ステップは、相互に隣接する前記被記録媒体において、向かい合う二辺の仕切線を同一の形態となるように、各仕切線データを生成することを特徴とする。
【００１１】
この構成によれば、お互い隣接する被記録媒体には同じ形態の仕切線が印刷されているため、ユーザは被記録媒体の隣接関係を容易に認識して配置することができる。
【００１２】
また、本発明の請求項３に記載の印刷制御プログラムは、請求項１または請求項２に記載の印刷制御プログラムであって、前記複数の被記録媒体はマトリックス状に配置され、前記配置位置は各被記録媒体の行方向と列方向との位置を示すものであり、前記仕切線は、前記行方向に平行な第１仕切線と、前記列方向に並行な第２仕切線とを備えるものであって、前記生成ステップは、前記第１仕切線が列ごとに異なる形態となるように、各第１仕切線データを生成し、前記第２仕切線が行ごとに異なる形態となるように、各第１仕切線データを生成することを特徴とする。
【００１３】
この構成によれば、同じ行(列)に位置する被記録媒体には同じ形態の仕切線が印刷されるため、ユーザは被記録媒体の行と列からなる配置位置を容易に認識して配置することができる。
【００１４】
また、本発明の請求項４に記載の印刷制御プログラムは、請求項１から請求項３のいずれかに記載の印刷制御プログラムであって、前記生成ステップは、前記第１仕切線を前記配置位置がＮ列目を示す形態となるように、各第１仕切線データを生成し、前記第２仕切線を前記配置位置がＭ行目を示す形態となるように、各第１仕切線データを生成することを特徴とする。
【００１５】
この構成によれば、被記録媒体には行(列)に対応つけられる形態の仕切線が印刷されるため、ユーザは被記録媒体の行と列からなる配置位置を容易に認識して配置することができる。
【００１６】
また、本発明の請求項５に記載の印刷制御プログラムは、請求項１から請求項４のいずれかに記載の印刷制御プログラムであって、前記仕切線の形態は、線の数、線の位置、または、線の色の少なくともいずれか一つで示されることを特徴とする。
この構成によれば、仕切線が線の数、線の位置、または、線の色の少なくともいずれか一つの形態で印刷されるため、ユーザは容易に被記録媒体を配置することができる。また、配置情報を印刷するスペースを確保する必要がなく、仕切線を利用して各ページの配置位置を示すことによって被記録媒体を印刷する領域が制限されることがないので、分割画像を印刷可能な領域が低減することを防ぐことができる。
【００１７】
また、本発明の請求項６に記載の印刷制御装置は、複数の被記録媒体を配置するとそれぞれの被記録媒体に印刷された画像が１つの元画像として完成するように、前記複数の被記録媒体に対して元画像を分割した分割画像を印刷装置に印刷させる、印刷制御装置であって、１ページ分の元画像データから前記複数の被記録媒体の数だけ分割した複数ページ分の分割画像データを生成するとともに、前記複数の被記録媒体を配置する配置位置に基
づいて、前記被記録媒体の画像領域と非画像領域とを仕切るための仕切線を前記複数のページ毎にその配置位置を示す形態となるように、各仕切線データを生成する生成手段と、前記生成手段により前記複数のページ毎に生成されたデータを前記分割画像として前記印刷装置に印刷させる印刷制御手段とを備えたことを特徴とする。
【００１８】
この構成によれば、仕切線をページ毎にその配置位置を示す形態で印刷されているため、ユーザは容易に被記録媒体を配置することができる。また、配置情報を印刷するスペースを確保する必要がなく、仕切線を利用して各ページの配置位置を示すことによって被記録媒体を印刷する領域が制限されることがないので、分割画像を印刷可能な領域が低減することを防ぐことができる。
【発明の効果】
【００１９】
本発明によれば、仕切線をページ毎にその配置位置を示す形態で印刷されているため、ユーザは容易に被記録媒体を配置することができる。また、配置情報を印刷するスペースを確保する必要がなく、仕切線を利用して各ページの配置位置を示すことによって被記録媒体を印刷する領域が制限されることがないので、分割画像を印刷可能な領域が低減することを防ぐことができる。
【図面の簡単な説明】
【００２０】
【図１】コンピュータを概略的に示すブロック図である。
【図２】印刷データ生成送信処理の手順を示すフローチャートである。
【図３】分割データ生成処理の手順を示すフローチャートである。
【図４】第１の形態に係る仕切線データ付与処理の手順を示すフローチャートである。
【図５】第１の形態に係る印刷データの例を示す図である。
【図６】第２の形態に係る仕切線データ付与処理の手順を示すフローチャートである。
【図７】第２の形態に係る印刷データの例を示す図である。
【発明を実施するための形態】
【００２１】
以下、図面を参照して本発明の実施形態を詳細に説明する。
【００２２】
（コンピュータの電気的構成）
図１は、本実施形態のコンピュータ２０を概略的に示すブロック図である。このコンピュータ２０は、ネットワークを介してプリンタ１０に接続されている。
【００２３】
コンピュータ２０は、ＣＰＵ２１、ＲＯＭ２２、ＲＡＭ２３、ハードディスクドライブ２４、キーボードやポインティングデバイスからなる操作部２５、ディスプレイ等からなる表示部２６、ネットワークインターフェイス２７等を備えている。ハードディスクドライブ２４には、印刷用の画像データを作成するためのアプリケーションソフトや、プリンタ１０の動作を制御するためのプリンタドライバなどの各種プログラムが記憶されている。また、ネットワークインターフェイス２７は、ＬＡＮなどの通信回線３０を介して外部のプリンタ１０等に接続され、相互のデータ通信が可能となっている。
【００２４】
＜実施形態１＞
（コンピュータの動作）
図２は、印刷データ生成送信処理のフローチャートであり、図３は、分割印刷データ生成処理のフローチャートである。図４は、仕切線データ付与処理のフローチャートであり、図５は、印刷例を示す図である。
【００２５】
コンピュータ２０において、ユーザが操作部２５から印刷設定開始の指示を入力すると、ＣＰＵ２１は、プリンタドライバを起動し、印刷設定画面（図示せず）を表示部２６に表示する。そこでユーザは、各種の印刷条件を設定することができる。ここで設定可能な印刷条件には、例えば、分割印刷を行うか否かの設定や、分割印刷を行う際に使用する縦横の用紙の枚数（Ｍ行×Ｎ列）の設定などが含まれる。ユーザが印刷設定を終えた後、操作部２５から印刷実行の指示を入力すると、ＣＰＵ２１は、図２に示す印刷データ生成送信処理を実行する。
【００２６】
ＣＰＵ２１は、印刷データ生成送信処理を開始すると、まずプリンタドライバを起動させる（Ｓ１０１）。続いて、文書や画像などを扱うアプリケーションソフトから印刷対象の画像データを取得する（Ｓ１０２）。次に、ＣＰＵ２１は、先に行われた印刷設定において分割印刷を行う設定とされているかを判断する（Ｓ１０３）。そして、分割印刷を行わない設定である場合（Ｓ１０３：Ｎｏ）には、先になされた印刷設定に基づいて画像データをＰＤＬ（ページ記述言語）等に変換した印刷データを生成する（Ｓ１０４）。
【００２７】
その後、ＣＰＵ２１は、生成した印刷データをネットワークインターフェイス２７を介してプリンタ１０に送信し（Ｓ１０５）、この印刷データ生成送信処理を終了する。
【００２８】
また、コンピュータ２０のＣＰＵ２１は、Ｓ１０３にて、分割印刷を行う設定である場合（Ｓ１０３：Ｙｅｓ）には、図３に示す分割印刷データ生成処理を実行する（Ｓ１０６）。ＣＰＵ２１は、分割印刷データ生成処理を開始すると、まず取得した画像データを印刷する用紙Ｐ１〜Ｐ４の印刷領域に相当する大きさまで拡大し、指定された用紙の数（Ｍ×Ｎ枚）に分割し、分割された画像データ（以降、分割画像データと称する）を、それぞれ用紙Ｐ１〜Ｐ４における分割印刷データの印刷領域４０に付与する（Ｓ２０１）。
【００２９】
ここで、図５は、図形「Ａ」を含んだ一つの画像を縦２枚、横２枚（Ｍ＝２、Ｎ＝２）の計４枚の用紙Ｐ１〜Ｐ４に分割して印刷する場合の印刷例を示している。同図において、用紙Ｐ４の二点鎖線は、印刷領域４０とその周囲の余白領域４１との境界を示している。この境界は、２つの長辺４２Ａと２つの短辺４２Ｂとを有する計４つの境界辺４２Ａ，４２Ｂからなる。また、図示しないが他の用紙Ｐ１〜Ｐ３にも同じ位置に境界辺４２Ａ，４２Ｂがある。なお、これらの境界辺は分割印刷データに対して、印刷領域４０とその周囲の余白領域４１との境界を示すためのものなので、実際に印刷されない。
【００３０】
また、分割画像データのうち、４つに分割された図形「Ａ」の一部分４３，４４，４５，４６（ハッチング部分）は着色剤により着色される部分であり、それ以外の部分は着色されない地の部分である。これらの部分４３〜４６は、それぞれ境界辺４２Ａ，４２Ｂに接している。
【００３１】
次に、ＣＰＵ２１は、Ｓ２０２〜Ｓ２０９の繰り返しにより、用紙Ｐ１〜Ｐ４毎に分割印刷データに対して、後述の仕切角データおよび仕切線データ付与処理を実行する。ここで、印刷される用紙の印刷全体に対する配置位置を（ｘ、ｙ）の座標形式と記述し、例えば、用紙Ｐ１は１行目１列目に位置するため、用紙（１、１）で表示する。なお、前述のとおり、分割印刷データはＭ行Ｎ列（Ｍ＝２、Ｎ＝２）になっているので、ｘ＝１〜Ｍであり、ｙ＝１〜Ｎである。
【００３２】
ＣＰＵ２１は、仕切角データおよび仕切線データ付与処理を開始すると、まずｘ、ｙに１を代入して初期化し、用紙Ｐ１の分割印刷データを実行対象とする（Ｓ２０２）。Ｓ２０３でｘがＭ以下（Ｓ２０３：Ｙｅｓ）、かつ、Ｓ２０４でｙがＮ以下である場合（Ｓ２０４：Ｙｅｓ）、用紙Ｐ１の分割印刷データの各境界辺４２Ａ，４２Ｂ上にその境界辺４２Ａ，４２Ｂの交差する角である印刷領域４０を示すための仕切角データを付与する（Ｓ
２０５）。本実施形態では、仕切角データは、用紙のサイズ等に基づいた後述の仕切線データを付与するために十分のスペースを空けるため、所定長さの二つの線分が直角になるように付与される。例えば、用紙Ｐ１の分割印刷データにおいて、左上、左下、右上と右下の４箇所には、境界辺４２Ａ，４２Ｂが交差して形成した仕切角データ４８が付与されている。
【００３３】
ＣＰＵ２１は、Ｓ２０５の処理の後、即ち用紙Ｐ１の分割印刷データに仕切角データ４８が付与された後、仕切線データ付与処理を実行する（２０６）。
【００３４】
図４の仕切線データ付与処理を開始すると、用紙Ｐ１の分割印刷データにおける付与可能部分の座標および長さを取得する（Ｓ３０１）。この付与可能部分は、分割印刷データの境界の長辺４２Ａ、または短辺２Ｂの長さから付与された両端の仕切角データの長さを除いた部分をとし、仕切線データがこの付与可能部分に両端の仕切角データを接しないように付与される。
【００３５】
続いて、ｘ（ｙ）本の仕切線データとｘ（ｙ）＋１の間隔分データの長さを取得する（Ｓ３０２）。この仕切線データの長さと間隔分データの長さは用紙サイズに対応して決められており、予めＲＯＭ２２に記憶されていてもよい。また、Ｓ３０１で取得された付与可能部分に応じて、ｘ（ｙ）本の仕切線データとｘ（ｙ）＋１の間隔分データを均等に分割できるような長さを算出してもよい。
【００３６】
ＣＰＵ２１は、Ｓ３０１で取得された付与可能部分の座標および長さと、Ｓ３０２で取得されたｘ（ｙ）本の仕切線データとｘ（ｙ）＋１の間隔分データの長さに基づいて、所定の間隔を隔てたｘ（ｙ）本の仕切線データの中央位置が付与可能部分に対して中心合わせになるように全ての仕切線データの座標を決定する（Ｓ３０３）。
【００３７】
ＣＰＵ２１はＳ３０３で決定された仕切線データの座標とＳ３０２で取得された仕切線データの長さを用いて、全ての仕切線データを付与する（Ｓ３０４）。即ち、用紙Ｐ１の分割印刷データの境界の長辺４２Ａの中央にｘ（ｘ＝１）数分の線分データ４８Ａを付与し、短辺４２Ｂの中央にｙ（ｙ＝１）数分の線分データ４８Ｂが付与される。
【００３８】
次に、図３において、ＣＰＵ２１は、分割印刷データを生成する（Ｓ２０７）。ここでは、用紙Ｐ１の分割印刷データに対し、Ｓ２０５で付与された仕切角データ４８およびＳ２０６で付与された仕切線データ４８Ａ、４８ＢをＰＤＬ等に変換して分割印刷データを生成する。
【００３９】
続いて、ｙがインクリメントされた後（Ｓ２０８）、Ｓ２０４に戻る。ｙがＮより大きくなるまで、Ｓ２０４〜Ｓ２０８が繰り返され、ｘ行目の用紙の分割印刷データに仕切角データおよび仕切線データが生成される。
【００４０】
一方、ｙがＮより大きい場合（Ｓ２０４：Ｎｏ）、ｘがインクリメント、ｙが１に初期化され（Ｓ２０９）、Ｓ２０３に戻る。ｘがＭより大きくなるまで、Ｓ２０３〜Ｓ２０９が繰り返され、全ての用紙の分割印刷データに対して、仕切角データおよび仕切線データが付与して生成される。
【００４１】
それに対して、ｘがＮより大きい場合（Ｓ２０３：Ｎｏ）には、生成された全ての分割印刷データをプリンタ１０へ送信する（図２のＳ１０５）。これにより、各用紙Ｐ１〜Ｐ４上に、Ｓ２０１にて付与された分割画像データとともに、仕切角データ４８と仕切線データ４８Ａ〜４８Ｈが付与された分割印刷データが印刷される。
【００４２】
図５に示す例では、用紙Ｐ１において、境界の長辺４２Ａの中央に仕切線４８Ａ（１線分）を、短辺４２Ｂの中央に仕切線４８Ｂ（１線分）が印刷されている。同様に、用紙Ｐ２に４８Ｃ（１線分）と４８Ｄ（２線分）、用紙Ｐ３に４８Ｅ（２線分）と４８Ｆ（１線分）、用紙Ｐ４に４８Ｇ（２線分）と４８Ｈ（２線分）の仕切線が印刷されている。仕切線４８Ａ〜４８Ｈの線分の数は、各用紙Ｐ１〜Ｐ４の配置位置の行及び列の値に対応しているため、ユーザは、それらの仕切線４８Ａ〜４８Ｈの線分の数から、印刷される用紙の印刷全体に対する配置位置を容易に把握することができる。
【００４３】
また、同図に示す例では、用紙Ｐ１と用紙Ｐ２の対抗する仕切線４８Ａと４８Ｃが同じく１線分で印刷されている。同様に、用紙Ｐ１と用紙Ｐ３の対抗する仕切線４８Ｂと４８Ｆが同じく１線分で印刷されている。そのため、ユーザは用紙の隣接関係を容易に認識して配置することができる。
【００４４】
（本実施形態の効果）
以上の実施形態によれば、用紙毎に仕切線が用紙の配置位置に応じた所定数分の線分で印刷されるため、ユーザは容易に用紙を配置することができる。また、配置情報を印刷するスペースを確保する必要がなく、仕切線を利用して各ページの配置位置を示すことによって用紙の印刷領域が制限されることがないので、分割画像の印刷領域が低減することを防ぐことができる。
【００４５】
また、隣接する用紙（Ｐ１とＰ２等）の対抗する仕切線（４９Ａと４９Ｃ等）は同じ数分の線分で印刷されているため、ユーザは用紙の隣接関係を容易に認識して配置することができる。
【００４６】
また、マトリックス状の印刷された用紙において、行方向に平行な仕切線を、列方向に並行な仕切線を付与し、即ち同じ行(列)に位置する用紙には同じ数分の線分からなる仕切線が印刷されるため、ユーザは用紙の行と列からなる配置位置を容易に認識して配置することができる。
【００４７】
また、Ｍ行目Ｎ列目の印刷された用紙において、長辺にＭ線分の仕切線を、短辺にＮ線分の仕切線を付与し、即ち用紙には行(列)に対応つけられる数分の線分からなる仕切線が印刷されるため、ユーザは用紙の行と列からなる配置位置を容易に認識して配置することができる。
【００４８】
＜実施形態２＞
次に実施形態２について図６及び図７を参照して説明する。図６は、仕切線データ付与処理を示すフローチャートであり、図７は、印刷例を示す図である。なお、以下の実施形態２の説明では、コンピュータ２０の構成、印刷データ送信処理及び分割印刷データ生成処理の動作は、上記実施形態１と同様であるため、説明を省略する。
【００４９】
ＣＰＵ２１は、図６の仕切線データ付与処理おいて、Ｓ４０１で各用紙の分割印刷データにおける付与可能部分の座標および長さを取得し、Ｓ４０２でＭ（Ｎ）本の仕切線データとＭ（Ｎ）＋１の間隔分データの長さを取得する。  
【００５０】
ＣＰＵ２１は、Ｓ４０１で取得された付与可能部分の座標および長さと、Ｓ４０２で取得されたＭ（Ｎ）本の仕切線データとＭ（Ｎ）＋１の間隔分データの長さに基づいて、付与可能部分に対して中心合わせになるように全ての仕切線データの座標を決定する（Ｓ４０３）。
【００５１】
ＣＰＵ２１は、Ｓ４０３で決定された仕切線データの座標とＳ４０２で取得された仕切
線データの長さを用いて、Ｍ（Ｎ）本の仕切線データのうちｘ（ｙ）本目の仕切線データを付与する（Ｓ４０４）。例えば、用紙Ｐ１の分割印刷データの境界の長辺４２Ａにｘ（ｘ＝１）本目の線分データ４９Ａを付与し、短辺４２Ｂにｙ（ｙ＝１）本目の線分データ４９Ｂが付与される。
【００５２】
図６に示す例では、用紙Ｐ１において、境界の長辺４２Ａに仕切線４９Ａ（１本目）を、短辺４２Ｂに仕切線４９Ｂ（１本目）が印刷されている。同様に、用紙Ｐ２に４９Ｃ（１本目）と４９Ｄ（２本目）、用紙Ｐ３に４９Ｅ（２本目）と４９Ｆ（１本目）、用紙Ｐ４に４９Ｇ（２本目）と４９Ｈ（２本目）の仕切線が印刷されている。ユーザは、それらの仕切線４９Ａ〜４９Ｈの境界における位置から、印刷される用紙の印刷全体に対する配置位置を容易に把握することができる。
【００５３】
また、同図に示す例では、用紙Ｐ１と用紙Ｐ２の対抗する仕切線４９Ａと４９Ｃが同じく１本目の仕切線位置に印刷されている。同様に、用紙Ｐ１と用紙Ｐ３の対抗する仕切線４９Ｂと４９Ｆが同じく１本目の仕切線位置に印刷されている。そのため、ユーザは用紙の隣接関係を容易に認識して配置することができる。
【００５４】
以上の実施形態によれば、各用紙の配置位置に対応した所定位置で仕切線が印刷されるため、ユーザは容易に用紙を配置することができる。また、配置情報を印刷するスペースを確保する必要がなく、仕切線を利用して各用紙の配置位置を示すことによって用紙の印刷領域が制限されることがないので、分割画像の印刷領域が低減することを防ぐことができる。
【００５５】
また、隣接する用紙（Ｐ１とＰ２等）の対抗する仕切線（４９Ａと４９Ｃ等）は同じ位置に印刷されているため、ユーザは用紙の隣接関係を容易に認識して配置することができる。
＜他の実施形態＞
以上の実施形態は単なる例示にすぎず，本発明を何ら限定するものではない。したがって本発明は当然に，その要旨を逸脱しない範囲内で種々の改良，変形が可能である。
【００５６】
第１実施形態と第２実施形態において、各隣接するページに付与された仕切線を同じ色で印刷してもよい。例えば、図５において、用紙Ｐ１と用紙Ｐ２が左右隣接するため、境界の長辺４２Ａに印刷した仕切線４８Ａ（４９Ａ）と４８Ｃ（４８Ｃ）を同じ色のＡ色にする。また、用紙Ｐ１と用紙Ｐ３が上下隣接するため、境界の短辺４８Ｂに印刷した仕切線４８Ｂ（４９Ｂ）と４８Ｆ（４９Ｆ）を同じ色のＢ色にする。ここで、Ａ色とＢ色は異なる色であることが好ましい。この構成によれば、ユーザは用紙の隣接関係を容易に認識して配置することができる。
【００５７】
また、第２実施形態において、ＣＰＵ２１はＳ４０３で決定された仕切線データの座標とＳ４０２で取得された仕切線データの長さを用いて、ｘ（ｙ）本目の仕切線データを付与して印刷するとともに、ｘ（ｙ）本目以外の仕切線を薄い色で印刷してもよい。この構成によれば、ユーザは容易に用紙を配置することができる。
【符号の説明】
【００５８】
１０…プリンタ（印刷装置の一例）
２０…コンピュータ（印刷制御装置の一例）
２１…ＣＰＵ（生成手段、印刷制御手段の一例）
４０…印刷領域（画像領域の一例）
４１…余白領域（非画像領域の一例）
４８Ｂ、４８Ｄ、４８Ｆ、４８Ｈ、４９Ｂ、４９Ｄ、４９Ｆ、４９Ｈ…仕切線（第１仕切
線の一例）
４８Ａ、４８Ｃ、４８Ｅ、４８Ｇ、４９Ａ、４９Ｃ、４９Ｅ、４９Ｇ…仕切線（第２仕切線の一例）
Ｐ１〜Ｐ４…用紙（被記録媒体の一例）
【図１】
2011238100.tif 000003
【図２】
2011238100.tif 000004
【図３】
2011238100.tif 000005
【図４】
2011238100.tif 000006
【図５】
2011238100.tif 000007
【図６】
2011238100.tif 000008
【図７】
2011238100.tif 000009